(57)【特許請求の範囲】
【請求項１】
絶縁ハウジング（２）と、この絶縁ハウジング（２）に形成された受入れ空洞（３）に圧入係止された端子（４）とを備えている電気コネクタ（１）において、
前記端子（４）は、絶縁ハウジング（２）の受入れ空洞（３）に圧入され、端子（４）の圧入部分（７）には、受入れ空洞（３）の対向する内壁（１６）と向き合う両側縁に、絶縁ハウジング（２）の受入れ空洞（３）の内壁（１６）に係止するための係止突起（１１）がそれぞれ外向きに設けられている一方、
前記絶縁ハウジング（２）の受入れ空洞（３）は、端子（４）の各係止突起（１１）に対応する位置の内壁（１６）が、係止突起（１１）から離れる方向に退避させてあり、係止突起（１１）と受入れ空洞（３）の内壁（１６）の間に逃げ空間（１７）が形成されていると共に、
前記係止突起（１１）は、その上端が絶縁ハウジング（２）の受入れ空洞（３）の逃げ空間（１７）に位置するとともに端子（４）の圧入方向と直交する方向の係止肩部（１２）を有しており、この係止肩部（１２）が前記受入れ空洞（３）の逃げ空間（１７）を形成した部分と入口側を構成している壁部分の境界に形成された内壁段部（１８）に係止することを特徴とする電気コネクタ。
【請求項２】
受入れ空洞（３）の逃げ空間（１７）を形成した部分より入口側を構成している壁部分が、端子（４）の圧入に際して、係止突起（１１）の通過時に外側へ変形し易くするために、肉厚の薄い壁部分（１９）で構成してある請求項１に記載の電気コネクタ。
【請求項３】
前記端子（４）は、圧入部分（７）の基部に係止縁（２１）が形成されており、絶縁ハウジング（２）の受入れ空洞（３）の入口縁（２０）と対向係止している請求項１又は２に記載の電気コネクタ。
【発明の詳細な説明】
【０００１】
【産業上の利用分野】
本発明は、プリント回路基板相互を接続する部分などで使用される電気コネクタに関する。
【０００２】
【従来の技術】
従来、この種の電気コネクタは、絶縁ハウジングと、絶縁ハウジングに形成された端子受入れ空洞に並列状態で圧入係止された複数の端子とで構成されている。プリント回路基板に対する取り付け強度を補強するために、更に、取り付けネイル、補強金具などの金属部品が絶縁ハウジングに圧入係止されたものもある。前記端子や、取り付けネイルあるいはその他の金属部品は、通常、薄金属板から打ち抜き成型によって製造されている。これらの金属部品は、圧入する部分の、受入れ空洞の内壁と向き合う側縁に係止突起が形成され、絶縁ハウジングの受入れ空洞に圧入すると、係止突起が受入れ空洞の内壁に喰い込んで係止し、絶縁ハウジングに対する組立状態が維持されるようにしている。
【０００３】
【発明が解決しようとする課題】
前記の如くの電気コネクタにおいて、端子や、取り付けネイル、補強金具などの金属部品を絶縁ハウジングの受入れ空洞に圧入係止すると、金属部品に設けた係止突起が絶縁ハウジング側に喰い込んで係止するために、絶縁ハウジングが係止突起から圧力を受けて外側に変形したり、喰い込みによる歪みが残存し、絶縁ハウジングに反りが生ずる問題点があった。この絶縁ハウジングの反りは、電気コネクタをプリント回路基板上に実装する場合に、一部の端子の半田テール部分とプリント回路基板の導電パッド間に隙間が生じるなど、半田付けを困難にするものであった。また、このような半田付けは、通常、リフロー半田付け方式が採られ、電気コネクタ全体が高温下におかれるので、この時に、絶縁ハウジングに残存していた歪みが開放されて、絶縁ハウジングの反りが変化し、信頼性の高い半田付けを困難にしていた。
【０００４】
本発明は斯かる問題点に鑑みてなされたもので、端子、取り付けネイルあるいはその他の金属部品を絶縁ハウジングに圧入係止することによって生じていた絶縁ハウジングの反りが起こらないようにした電気コネクタを提供することを目的としている。
【０００５】
【課題を解決するための手段】
前記の目的のもとになされた本発明は、端子、取り付けネイルあるいはその他の金属部品側に設ける係止突起と対応させて、絶縁ハウジングの受入れ空洞の内壁を係止突起から離れる方向に退避させて逃げ空間が形成されるようにしたものである。
【０００６】
即ち本発明は、絶縁ハウジングと、この絶縁ハウジングに形成された受入れ空洞に圧入係止された、端子、取り付けネイルあるいはその他の金属部品のうち、少なくとも１種の金属部品とを備えている電気コネクタにおいて、前記金属部品は、絶縁ハウジングの受入れ空洞に圧入され、金属部品の圧入部分には、受入れ空洞の対向する内壁と向き合う両側縁に、絶縁ハウジングの受入れ空洞の内壁に係止するための係止突起がそれぞれ外向きに設けられている一方、前記絶縁ハウジングの受入れ空洞は、金属部品の各係止突起に対応する位置の内壁が、係止突起から離れる方向に退避させてあり、係止突起と受入れ空洞の内壁の間に逃げ空間が形成されていると共に、前記係止突起は、その上端が絶縁ハウジングの受入れ空洞の逃げ空間に位置するとともに端子の圧入方向と直交する方向の係止肩部を有しており、この係止肩部が前記受入れ空洞の逃げ空間を形成した部分と入口側を構成している壁部分の境界に形成された内壁段部に係止する様に構成してあることを特徴とする電気コネクタである。
【０００７】
また、このような電気コネクタであって、受入れ空洞の逃げ空間を形成した部分より入口側を構成している壁部分が、金属部品の圧入に際して、係止突起の通過時に外側へ変形し易くするために、肉厚の薄い壁部分で構成してある電気コネクタである。
【０００８】
更には、このような電気コネクタであって、金属部品は、圧入部分の基部に係止縁が形成されており、絶縁ハウジングの受入れ空洞の入口縁と対向係止している電気コネクタである。
【０００９】
【作用】
本発明の電気コネクタによれば、絶縁ハウジングの受入れ空洞の内壁と金属部品の係止突起の間に逃げ空間が形成されて、圧入の完了した金属部品の係止突起が絶縁ハウジングの受入れ空洞の内壁に喰い込まないようにしたので、金属部品の係止突起による絶縁ハウジングに対する圧力が無くなり、変形や歪みが生じないようにできる。この結果、絶縁ハウジングに反りが生じるのを防ぐことができる。
【００１０】
【実施例】
以下、本発明の実施例を添付の図を参照して説明する。
【００１１】
図１は、図２乃至図４に示した実施例の表面取り付け型の電気コネクタ１の断面を表している。電気コネクタ１は、絶縁ハウジング２と、絶縁ハウジング２内に形成された端子受入れ空洞３に所定のピッチで並列させて圧入した複数の端子４とで構成されている。端子４は、それぞれ、絶縁ハウジング２の底面２ａ側から圧入されているもので、底面２ａの外側に端子４の半田テール５が延びて、プリント回路基板（図示していない。）の導電パッドに表面半田付けできるようにしてある。
【００１２】
端子４は、図１及び図５に示した形状に薄金属板から打ち抜き成型されたもので、横方向に延びる基部片６の中間部分の上側縁から上向きにスタビライザー部７が設けられ、スタビライザー部７の上側に第１コンタクト片８が延長して設けられていると共に、基部片６の一端からＬ字状の第２コンタクト片９が延長して設けられて、第１コンタクト片８のコンタクト部８ａと第２コンタクト片９のコンタクト部９ａが互いに向き合った形状としてある。基部片６の他端から、斜め片１０を介して前記半田テール５が連設されている。前記スタビライザー部７は絶縁ハウジング２への圧入部分を構成し、この端子４を絶縁ハウジング２に係止させる部分で、上側（第１コンタクト片８側）両側縁に係止突起１１が、それぞれ外向きに突出させて形成してある。係止突起１１の基部片６側の縁は、スタビライザー部７の長手方向に対して直交する方向に形成されて係止肩部１２としてある。スタビライザー部７の係止突起１１より下側は、係止突起１１の先端間の幅より狭くされ、かつ、裾広がりの形状としてある。
【００１３】
絶縁ハウジング２は図１及び図６に示したような断面を有している。端子受入れ空洞３が底面２ａで開口しており、前記端子４が底面２ａ側から圧入できるようにしてある。圧入した端子４の第１コンタクト片８と第２コンタクト片９が、絶縁ハウジング２の上面２ｂ側に開口して形成した、相手側の電気コネクタ（図示していない。）の端子の嵌入空洞１３に臨むようになっている。
【００１４】
端子受入れ空洞３は、前記第１コンタクト片８が挿通される第１部分１４と、第２コンタクト片９が挿通される第２部分１５とからなっており、第１部分１４は、第１コンタクト片８が挿通された後に、前記スタビライザー部７が圧入、係止できる形状としてある。即ち、第１部分１４は、対向する内壁１６の間隔が、スタビライザー部７の裾広がりの部分が僅かに喰い込むようになる間隔で形成されており、その喰い込みの深さは前記係止突起１１が圧入の際に喰い込む深さよりも小さくされていると共に、前記係止突起１１に対応する部分は、内壁１６を係止突起１１から離れる方向に退避させて、係止突起１１と内壁１６の間に逃げ空間１７（図１参照）が形成できるようにしてある。内壁１６の逃げ空間１７を形成するために退避した部分と、スタビライザー部７の裾広がりの部分が喰い込むようにした入口側を構成している部分の境界に形成された内壁段部１８が係止突起１１の係止肩部１２と対向して互いに係止するようにしてある。前記逃げ空間１７が形成できるようにした部分より入口側を構成している部分は、肉厚の薄い壁部分１９として、スタビライザー部７の係止突起１１が圧入の際に通過する時に、外側へ変形し易くしてある。
【００１５】
また、第１コンタクト片８が挿通される第１部分１４は、内壁段部１８から入口縁２０までの長さが、端子４のスタビライザー部７の係止突起１１までの長さ、即ち、基部片６の上側縁から係止肩部１２までの長さと略等しくしてある。この為、スタビライザー部７を第１部分１４へ挿通して係止突起１１の係止肩部１２が内壁段部１８に係止すると、基部片６の上側縁が第１部分１４の入口縁２０に対向して係止するようになり、基部片６の上側縁は係止縁２１として作用するようにしてある。
【００１６】
上記実施例の電気コネクタ１によれば、端子４のスタビライザー部７に形成した係止突起１１が絶縁ハウジング２の端子受入れ空洞３の第１部分１４の内壁に喰い込み係止することなく、逃げ空間１７を介して対向する構成であるので、係止突起１１による絶縁ハウジング２への圧力を無くし、端子４の圧入係止によって絶縁ハウジング２に反りが生ずるのを防止することができる。従って、各端子４の半田テール５は絶縁ハウジング２の底面２ａの外側で、互いに略面一状態で整列させることができ、プリント回路基板の導電パッドに対する半田付けを困難にすることなく、しかも高い信頼性をもって行うことができる
【００１７】
また、端子４のスタビライザー部７が圧入される、端子受入れ空洞３の第１部分１４は、肉厚の薄い壁部分１９で出入り口側を形成したので、スタビライザー部７の最も幅の広い部分である係止突起１１の部分が通過するとき、容易に変形させることができ、端子３の圧入をし易くすることができる。
【００１８】
絶縁ハウジング２に圧入する端子４は、スタビライザー部７の係止突起１１に形成した係止肩部１２が、絶縁ハウジング２側の内壁段部１８を越えた所で、互いに対向して係止するので、圧入した端子４が抜けるのを確実に防止することができる。そして、スタビライザー部７の基部である基部片６の上側縁が端子受入れ空洞３の第１部分１４の入口縁２０に対して係止縁２１を構成して互いに対向係止する為に、前記係止肩部１２と内壁段部１８の係止と相俟って、端子４を絶縁ハウジング２に対して、ガタを生ずることなくしっかりと固定することができる。
【００１９】
尚、上記実施例の電気コネクタは、絶縁ハウジング２と複数の端子４とで構成したものであるが、更に、薄金属板を打ち抜き成型して構成される、取り付けネイル、補強金具などのその他の金属部品を取り付けることもできる。それらの金属部品に対しても、絶縁ハウジング２に対応する受入れ空洞を設けると共に、金属部品に設けられる係止突起と受入れ空洞の内壁の間に、前記実施例と同様の逃げ空間が形成できるようにして、絶縁ハウジング２に対して圧入による圧力が掛からないようにし、反りが生じないようにすることができる。
【００２０】
【発明の効果】
以上に説明の通り、本発明によれば、端子、取り付けネイルあるいはその他の金属部品の係止突起と、金属部品の受入れ空洞の内壁の間で、逃げ空間が形成されるようにしたので、金属部品を絶縁ハウジングに圧入係止することによって生じていた絶縁ハウジングの反りが生じないようにした電気コネクタを提供することができる効果がある。
【００２１】
受入れ空洞の逃げ空間を形成した部分より入口側を構成している壁部分を肉厚の薄い壁部分で構成するようにすれば、更に、金属部品の圧入がし易い電気コネクタとすることができる効果がある。
【００２２】
また、係止突起に係止肩部を設け、受入れ空洞の内壁段部に係止するようにすれば、更に、圧入した金属部品が抜けるのを確実に防止できる電気コネクタとすることができる効果がある。
【００２３】
また、金属部品の圧入部分の基部に係止縁を形成して、絶縁ハウジングの受入れ空洞の入口縁と対向係止するようにすれば、更に、圧入した金属部品を、ガタが生ずることなくしっかりと固定した電気コネクタとすることができる効果がある。
【図面の簡単な説明】
【図１】  本発明の実施例の電気コネクタの拡大断面図である。
【図２】  同じく実施例の電気コネクタの平面図である。
【図３】  同じく実施例の電気コネクタの正面図である。
【図４】  同じく実施例の電気コネクタの側面図である。
【図５】  同じく実施例の端子の拡大正面図である。
【図６】  同じく実施例の絶縁ハウジングの拡大断面図である。
【符号の説明】
１          電気コネクタ
２          絶縁ハウジング
２ａ        絶縁ハウジングの底面
２ｂ        絶縁ハウジングの上面
３          端子受入れ空洞
４          端子（金属部品）
５          半田テール
６          端子の基部片
７          端子のスタビライザー部
８          端子の第１コンタクト片
８ａ        コンタクト部
９          端子の第２コンタクト片
９ａ        コンタクト部
１０        端子の斜め片
１１        スタビライザー部の係止突起
１２        係止肩部
１３        相手側端子の嵌入空間
１４        端子受入れ空洞の第１部分
１５        端子受入れ空洞の第２部分
１６        第１部分の内壁
１７        逃げ空間
１８        内壁段部
１９        肉厚の薄い部分
２０        第１部分の入口縁
２１        端子の係止縁
【図１】
0003837824.tif 000002
【図２】
0003837824.tif 000003
【図３】
0003837824.tif 000004
【図４】
0003837824.tif 000005
【図５】
0003837824.tif 000006
【図６】
0003837824.tif 000007